(57)【要約】【課題】これまでの外用貼付剤は、肩や背中など手の回しにくい所に貼ろうとする時、次のような問題があり、自分一人で貼ることが極めて難しかった。▲１▼基材が柔らかでふにゃふにゃしているため、粘着面同士でくっついてしまう。▲２▼目視できない患部へ的確にアプローチできない。▲３▼洋服を着ている状態では、粘着面が洋服の方についてしまう。本発明は、以上の問題点を解決し、目的の箇所へ自分一人で簡単に外用貼付剤が貼付できる方法と、その製品構造を提供することにある。【解決手段】外用貼付剤の表面（薬剤が塗布されていない面）に、口取りを設けた基材入り両面粘着テープを貼って、剥離紙で覆うことを特徴とする。【選択図】図１
2008062001.tif 000002
【特許請求の範囲】
【請求項１】
外用貼付剤の表面（薬剤が塗布されていない面）に、口取りを設けた基材入り両面粘着テープを貼って、剥離紙で覆うことを特徴とする製品構造と、初めに表面の剥離紙をはがし、自分の手の平、または指の腹に貼り、続いて薬剤が塗布された裏面の剥離紙、または剥離フィルムをはがし目的の患部へ貼付した後、口取りをつまんで基材入り両面粘着テープをはがすことを特徴とする外用貼付剤の貼付方法。
【請求項２】
外用貼付式磁気治療器や外用貼付式磁気治療シート・テープの表面（磁石が付設されていない面）に、口取りを設けた基材入り両面粘着テープを貼って、剥離紙で覆うことを特徴とする製品構造と、初めに表面の剥離紙をはがし、自分の手の平、または指の腹に貼り、続いて磁気治療器、または磁気治療シート・テープの裏面の剥離紙、または剥離フィルムをはがし目的の患部へ貼付した後、口取りをつまんで基材入り両面粘着テープをはがすことを特徴とする外用貼付式磁気治療器や外用貼付式磁気治療シート・テープの貼付方法。
【請求項３】
外用貼付式元素治療器や外用貼付式元素治療シート・テープの表面（元素を付設、または塗布していない面）に、口取りを設けた基材入り両面粘着テープを貼って、剥離紙で覆うことを特徴とする製品構造と、初めに表面の剥離紙をはがし、自分の手の平、または指の腹に貼り、続いて元素治療器、または元素治療シート・テープの裏面の剥離紙、または剥離フィルムをはがし目的の患部へ貼付した後、口取りをつまんで基材入り両面粘着テープをはがすことを特徴とする外用貼付式元素治療器や外用貼付式元素治療シート・テープの貼付方法。
【請求項４】
外用貼付式針灸器具の表面（針が付設されていない面）に、口取りを設けた基材入り両面粘着テープを貼って、剥離紙で覆うことを特徴とする製品構造と、初めに表面の剥離紙をはがし、自分の指の腹に貼り、続いて針灸器具の裏面の剥離紙をはがし目的の患部へ貼付した後、口取りをつまんで基材入り両面粘着テープをはがすことを特徴とする外用貼付式針灸器具の貼付方法。
【請求項５】
外用貼付剤の表面（薬剤が塗布されていない面）に粘着面を設け、剥離紙で覆うことを特徴とする製品構造と、初めに表面の剥離紙をはがし、自分の手の平、または指の腹に貼り、続いて薬剤が塗布された裏面の剥離紙、または剥離フィルムをはがし目的の患部へ貼付することを特徴とする外用貼付剤の貼付方法。
【請求項６】
外用貼付式磁気治療器の表面（磁石が付設されていない面）に粘着面を設け、剥離紙で覆うことを特徴とする製品構造と、初めに表面の剥離紙をはがし自分の指の腹に貼り、続いて磁気治療器、または磁気治療シート・テープの裏面の剥離紙、または剥離フィルムをはがし目的の患部へ貼付することを特徴とする外用貼付式磁気治療器や外用貼付式磁気治療シート・テープの貼付方法。
【請求項７】
外用貼付式元素治療器や外用貼付式元素治療シート・テープの表面（元素を付設、または塗布していない面）に粘着面を設け、剥離紙で覆うことを特徴とする製品構造と、初めに表面の剥離紙をはがし、自分の手の平、または指の腹に貼り、続いて元素治療器、または元素治療シート・テープの裏面の剥離紙、または剥離フィルムをはがし目的の患部へ貼付することを特徴とする外用貼付式元素治療器や外用貼付式元素治療シート・テープの貼付方法。
【請求項８】
外用貼付式針灸器具の表面（針が付設されていない面）に粘着面を設け、剥離紙で覆うことを特徴とする製品構造と、初めに表面の剥離紙をはがし、指の腹に貼り、続いて針灸器具の裏面の剥離紙をはがし目的の患部へ貼付することを特徴とする外用貼付式針灸器具の貼付方法。
【発明の詳細な説明】
【技術分野】
【０００１】この発明は、外用貼付剤の貼付方法と、その製品構造に関するものである。
【背景技術】
【０００２】これまで、肩や背中など手の回しにくい所に外用貼付剤を貼ろうとする時、基材が柔らかでふにゃふにゃしている外用貼付剤は粘着面同士でくっついてしまうなど、自分一人で貼ることが難しかった。そのため、湾曲させた棒の先端に外用貼付剤を仮止めし、その棒を以て目的の箇所に貼ろうとする貼付具なるものの発想があった。
【発明の開示】
【発明が解決しようとする課題】
【０００３】これまでの外用貼付剤は、肩や背中など手の回しにくい所に貼ろうとする時、次のような問題があり、自分一人で貼ることが極めて難しかった。
▲１▼基材が柔らかでふにゃふにゃしているため、粘着面同士でくっついてしまう。
▲２▼目視できない患部へ的確にアプローチできない。
▲３▼洋服を着ている状態では、粘着面が洋服の方についてしまう。
本発明は、以上の問題点を解決し、目的の箇所へ自分一人で簡単に外用貼付剤が貼付できる方法と、その製品構造を提供することにある。
【課題を解決するための手段】
【０００４】外用貼付剤（４）（４ａ）の表面（薬剤が塗布されていない面）に、口取り（２）（２ａ）を設けた基材入り両面粘着テープ（１）（１ａ）を貼って、剥離紙（３）（３ａ）で覆うことを特徴とする。
【発明の効果】
【０００５】本発明により、外用貼付剤自体がいかに軟弱でも、よれたり、粘着面同士がひっついてしまうこともなく、患部の所在を的確に捉え貼付できる。例え、洋服を着ていてもスムーズに自分一人で目的のところへの貼付が可能になる。
【発明を実施するための最良の形態】
【０００６】以下、本発明の実施の形態について説明する。
外用貼付剤（４）（４ａ）の表面（薬剤が塗布されていない面）に、口取り（２）（２ａ）を設けた基材入り両面粘着テープ（１）（１ａ）を貼って剥離紙（３）（３ａ）で覆う。本発明は以上のような構造で、これを使用するときは、まず外用貼付剤（４）（４ａ）の表面に貼り付けた基材入り両面粘着テープ（１）（１ａ）の剥離紙（３）（３ａ）をはがし、外用貼付剤（４）（４ａ）の大きさによって、自分の手の平、または指の腹に貼る。続いて、薬剤（６）（６ａ）が塗布された裏面の剥離紙、または剥離フィルム（７）（７ａ）をはがし、目的の患部へ貼付する。最後に、基材入り両面粘着テープ（１）（１ａ）の口取り（２）（２ａ）をつまんで、そのテープをはがせばいい。
【産業上の利用可能性】
【０００７】本発明は、パップ剤などの一般的な外用貼付剤はもちろんのこと、磁気治療器・元素治療器・針灸器具等、小判の貼付剤などにも有効である。これによって、首・肩・背中など、基材が軟弱なために貼りにくかった患部へ、自分一人で簡単に貼れるようになる。更に、自分の手や指の感覚が活きるため、目的の患部への正確でスムーズなアプローチが可能だ。粘着剤のみの構造のものなら口内炎用の貼付剤に用いても効果を発揮する。
【図面の簡単な説明】
【０００８】
【図１】大判の外用貼付剤に、基材入り両面粘着テープを用いた本発明の平面図である。
【図２】図１の分解側面図である。
【図３】大判の外用貼付剤に、基材入り両面粘着テープを用いた本発明の使用状態を示した図である。
【図４】小判の外用貼付剤に、基材入り両面粘着テープを用いた本発明の平面図である。
【図５】図４の分解側面図である。
【図６】小判の外用貼付剤に、基材入り両面粘着テープを用いた本発明の使用状態を示した図である。
【図７】大判の外用貼付剤に、粘着面を設けた本発明の平面図である。
【図８】図７の分解側面図である。
【図９】大判の外用貼付剤に、粘着面を設けた本発明の使用状態を示した図である。
【図１０】小判の外用貼付剤に、粘着面を設けた本発明の平面図である。
【図１１】図１０の分解側面図である。
【図１２】小判の外用貼付剤に、粘着面を設けた本発明の使用状態を示した図である。
【符号の説明】
【０００９】１    基材入り両面粘着テープ
２    口取り
２ａ  小判外用貼付剤の口取り
３    剥離紙
３ａ  小判外用貼付剤の剥離紙
３ｂ  口取りを例示として加えた小判外用貼付剤の剥離紙
４    外用貼付剤
４ａ  小判外用貼付剤
５    外用貼付剤基材
５ａ  小判外用貼付剤基材
６    薬剤
６ａ  小判外用貼付薬剤
７    剥離フィルム
７ａ  小判外用貼付剤剥離フィルム
８    粘着面
【図１】
2008062001.tif 000003
【図２】
2008062001.tif 000004
【図３】
2008062001.tif 000005
【図４】
2008062001.tif 000006
【図５】
2008062001.tif 000007
【図６】
2008062001.tif 000008
【図７】
2008062001.tif 000009
【図８】
2008062001.tif 000010
【図９】
2008062001.tif 000011
【図１０】
2008062001.tif 000012
【図１１】
2008062001.tif 000013
【図１２】
2008062001.tif 000014